(57)【要約】【課題】コンテンツの閲覧者に、素早く目的の情報を閲覧させること。【解決の手段】リンク元ＷＥＢページ表示部に文字とその他のＷＥＢページの構成要素を別々の拡大または縮小率で処理して表示することによって、一般的な大きさのＷＥＢページでもフレームページのように文字を見ながら、リンクをクリックすることが出来るようになった。また、スクロール位置を記録することによって、同フォーマットのＷＥＢページの閲覧を素早く行うことが可能となった。【選択図】図１
2006092499.tif 000002
【特許請求の範囲】
【請求項１】
ハイパーリンク（以下、リンクと記す）を含むコンテンツ（以下、ＷＥＢページと記す）を２つ以上同時に表示可能で、１つの表示部（以下、リンク元ＷＥＢページ表示部と記す）に表示されたＷＥＢページ内のリンク先ＷＥＢページを、ユーザーの操作（リンクのクリックなど）によって、同コンピュータプログラム内の別の表示部（以下、リンク先ＷＥＢページ表示部と記す）に表示可能なコンピュータプログラムにおいて、ＷＥＢページがリンク元ＷＥＢページ表示部に表示される場合に、文字と映像及びレイアウト、のそれぞれを異なる縮小または拡大倍率で変更した上でＷＥＢページをリンク元ＷＥＢページ表示部に表示するステップ、を備えることを特徴とするコンテンツ閲覧コンピュータプログラム。
【請求項２】
請求項１記載のコンテンツ閲覧コンピュータプログラムにおいて、予めＷＥＢページを示す識別子（例えばＵＲＬなど）を複数または単数記憶しておくステップ、ＷＥＢページがリンク先ＷＥＢページ表示部に表示された場合に、前記表示されたページの識別子と、予め記憶しておいた識別子とでマッチングをおこなうステップ、マッチングが成立したら、前記識別子によって示されるＷＥＢページをリンク元ＷＥＢページ表示部に表示するステップと、を備えることを特徴とするコンテンツ閲覧コンピュータプログラム。
【請求項３】
請求項１〜２記載のコンテンツ閲覧コンピュータプログラムにおいて、予めＷＥＢページを示す識別子（ＵＲＬやアンカー文字列など）を複数または単数記憶しておくステップ、リンク元ＷＥＢページ表示部に表示されたＷＥＢページに含まれるリンクをユーザーが操作した場合に、操作で指定された識別子と、前記記憶されたＷＥＢページを示す識別子とのマッチングを行うステップ、前記マッチングが成立したら、前記識別子によって示されるＷＥＢページをリンク元ＷＥＢページ表示部に表示するステップと、を備えることを特徴とするコンテンツ閲覧コンピュータプログラム。
【請求項４】
請求項１〜３記載のコンテンツ閲覧コンピュータプログラムにおいて、リンク元ＷＥＢページ表示部に表示するＷＥＢページの文字の縮小率を少なくまたは縮小せず映像及びレイアウトの縮小率を文字に比べて大きくするステップ、を備えることを特徴とするコンテンツ閲覧コンピュータプログラム。
【請求項５】
請求項１〜４記載のコンテンツ閲覧コンピュータプログラムにおいて、リンク元ＷＥＢページ表示部に表示されたＷＥＢページのある一定の選択された領域から前記領域に含まれる複数または単数のリンクを抽出するステップと、前記抽出された複数または単数のリンクが示す複数または単数のＷＥＢページを、タブ方式のリンク先ＷＥＢページ表示部の複数または単数のタブとして表示するステップと、を備えることを特徴とするコンテンツ閲覧コンピュータプログラム。
【請求項６】
請求項１〜５記載のコンテンツ閲覧コンピュータプログラムにおいて、リンク元ＷＥＢページ表示部に表示されたＷＥＢページのある一定の選択された領域から前記領域に含まれる複数または単数のリンクを抽出するステップ、前記抽出された複数または単数のリンクのＷＥＢページを、リンク先ＷＥＢページ表示部に縮小し、並べて表示するステップと、を備えることを特徴とするコンテンツ閲覧コンピュータプログラム。
【請求項７】
表示部より大きな任意のコンテンツを表示中に、スクロール操作ＧＵＩを表示することが可能なコンテンツ閲覧コンピュータプログラムにおいて、ユーザーが行ったスクロール操作の状態を記憶するステップと、この記憶されたスクロール状態で、任意のページを表示するステップと、を備えることを特徴とするコンテンツ閲覧コンピュータプログラム。
【請求項８】
請求項７記載のコンテンツ閲覧コンピュータプログラムにおいて、スクロール操作を行った状態で、ある操作（ＧＵＩボタンを押す、ショートカット入力、マウスジェスチャー入力等）を行った時点でスクロール操作の状態を記憶するステップと、以後表示されるコンテンツに対しこのスクロール操作の状態を適応するステップと、ある操作（ＧＵＩボタンを押す、ショートカット入力、マウスジェスチャー入力等）を行った時点でこの適応を解除するステップと、を備えることを特徴とするコンテンツ閲覧コンピュータプログラム。
【請求項９】
請求項１〜８に記載の少なくとも何れか１つのコンテンツ閲覧コンピュータプログラムを含むことを特徴とするＷＥＢブラウザプログラム。
【請求項１０】
請求項１〜８に記載の少なくとも何れか１つのコンテンツ閲覧コンピュータプログラムを含むことを特徴とするコンピュータシステム。
【請求項１１】
請求項１〜８に記載の少なくとも何れか１つのコンテンツ閲覧コンピュータプログラムを含むことを特徴とするテレビ。
【請求項１２】
請求項１〜８に記載の少なくとも何れか１つのコンテンツ閲覧コンピュータプログラムを含むことを特徴とする携帯電話。
【発明の詳細な説明】
【技術分野】
【０００１】本発明は、コンテンツの閲覧システムおよびコンピュータプログラムに係わり、特に、素早い情報へのアクセスをもたらすことができるコンテンツの閲覧システムおよびコンピュータプログラムに関する。
【背景技術】
【０００２】従来、リンクを含むＷＥＢページを２つ以上同時に表示可能で、リンク元ＷＥＢページ表示部に表示されたＷＥＢページ内のリンク先ＷＥＢページを、同コンピュータプログラム内のリンク先ＷＥＢページ表示部に表示可能なコンピュータプログラムは、一般的に利用されているＷＥＢブラウザに搭載されているフレーム機能として存在したが、これらのコンピュータプログラムにおいて、リンク元ＷＥＢページ表示部の文字、映像、レイアウト、をそれぞれ異なる拡大または縮小比率で表示するものは存在しなかった。【０００３】また、一定の領域を選択された前記リンク元ＷＥＢページ表示部から、選択された領域内に存在するリンクを抽出し、タブ化して表示したり、サムネイル化して表示したりするものは無かった。【０００４】また、表示部より大きな任意のコンテンツを表示中に、スクロール操作ＧＵＩを表示することが可能なコンテンツ閲覧コンピュータプログラムにおいて、ユーザーが簡単にスクロール位置を指定するものは無かった。【０００５】なお、本発明に関連する公知の文章として次の文章を挙げることができる。【０００６】
【非特許文章１】
「Ｆｒａｍｅｓ  ｉｎ  ＨＴＭＬ  Ｄｏｃｕｍｅｎｔｓ」、ｈｔｔｐ：／／ｗｗｗ．ｗ３．ｏｒｇ／ＴＲ／ＲＥＣ−ｈｔｍｌ４０−９７１２１８／ｐｒｅｓｅｎｔ／ｆｒａｍｅｓ．ｈｔｍｌ
【発明の開示】
【発明が解決しようとする課題】
【０００７】本発明の目的はコンテンツ閲覧システムやコンピュータプログラム（例えばＷＥＢブラウザ）の利用者に対して、目的の情報に素早く到達するようなシステムやソフトの提供を目的とする。【０００８】ここで用語および関連した事項を解説しておく。【０００９】表示部とはコンピュータが画面（デイスプレイ装置）に表示するグラフィックであり、主に画面上に描画される枠によって区切られた一定の領域を示す。一般的なウインドウシステムを採用したコンピュータであれば、これはＧＵＩによるなんらか表示部（例えばＷＥＢブラウザのＷＥＢページ表示部）ともいえるが、これに限定されるものではない。【００１０】ハイパーリンク（以下、リンクと記す）を含むコンテンツ（以下、ＷＥＢページと記す）を２つ以上同時に表示可能で、１つの表示部（以下、リンク元ＷＥＢページ表示部と記す）に表示されたＷＥＢページ内のリンク先ＷＥＢページを、ユーザーの操作（リンクのクリックなど）によって、同コンピュータプログラム内の別の表示部（以下、リンク先ＷＥＢページ表示部と記す）に表示可能なコンピュータプログラムとは、メニューページ部とコンテンツページ表示部が連動したＷＥＢページであるフレームページのように表示できるコンピュータプログラムを示し、一般的に普及している多くのブラウザソフトにはこの機能（フレームページ表示機能）が存在する。なお、別々のＧＵＩ窓であっても連動可能であればかまわない。【００１１】ＧＵＩとは、グラフィカルユーザーインターフェイスの略で、主要なＯＳで採用されているインターフェイスを示す。【００１２】レイアウトとは、コンテンツの各要素の配置位置やスペースの割合、罫線によって作成された表などの大きさを示す。【００１３】サムネイルとは、主に多数のコンテンツを一覧表示するために、縮小されたコンテンツを示す。なお、このサムネイルを作成する場合に、文字、映像、レイアウト、をそれぞれ異なる拡大または縮小比率でサムネイル化することも考えられる。【００１４】スクロール操作ＧＵＩとは、現在一般的なウインドウシステムでは、スクロールバーなどを示し、ユーザーがマウス等でこのバーを上下左右に操作することによってコンテンツがスクロールし、表示されていない部分が表示される。【００１５】スクロール操作の状態とは、一般的には、横軸と縦軸からなる座標データを示すが、コンテンツの表示割合を示すパーセンテージなどの数値でも代用可能である。【００１６】映像とは、文字以外のＷＥＢページの構成要素である、画像または／および動画または／および任意のソフトウエアの出力（フラッシュの映像等）などを示す。
【課題を解決するための手段】
【００１７】請求項１〜９コンピュータプログラムに関する発明であり、請求項１０はコンピュータシステムに関する発明、請求項１１はテレビに関する発明、請求項１２は携帯電話に関する発明である。【００１８】ハイパーリンク（以下、リンクと記す）を含むコンテンツ（以下、ＷＥＢページと記す）を２つ以上同時に表示可能で、１つの表示部（以下、リンク元ＷＥＢページ表示部と記す）に表示されたＷＥＢページ内のリンク先ＷＥＢページを、ユーザーの操作（リンクのクリックなど）によって、同コンピュータプログラム内の別の表示部（以下、リンク先ＷＥＢページ表示部と記す）に表示可能なコンピュータプログラムにおいて、ＷＥＢページがリンク元ＷＥＢページ表示部に表示される場合に、文字と映像及びレイアウト、のそれぞれを異なる縮小または拡大倍率で変更した上でＷＥＢページをリンク元ＷＥＢページ表示部に表示するステップ、を備えることを特徴とする。【００１９】請求項１記載のコンテンツ閲覧コンピュータプログラムにおいて、予めＷＥＢページを示す識別子（例えばＵＲＬなど）を複数または単数記憶しておくステップ、ＷＥＢページがリンク先ＷＥＢページ表示部に表示された場合に、前記表示されたページの識別子と、予め記憶しておいた識別子とでマッチングをおこなうステップ、マッチングが成立したら、前記識別子によって示されるＷＥＢページをリンク元ＷＥＢページ表示部に表示するステップと、を備えることを特徴とする。【００２０】請求項１〜２記載のコンテンツ閲覧コンピュータプログラムにおいて、予めＷＥＢページを示す識別子（ＵＲＬやアンカー文字列など）を複数または単数記憶しておくステップ、リンク元ＷＥＢページ表示部に表示されたＷＥＢページに含まれるリンクをユーザーが操作した場合に、操作で指定された識別子と、前記記憶されたＷＥＢページを示す識別子とのマッチングを行うステップ、前記マッチングが成立したら、前記識別子によって示されるＷＥＢページをリンク元ＷＥＢページ表示部に表示するステップと、を備えることを特徴とする。【００２１】請求項１〜３記載のコンテンツ閲覧コンピュータプログラムにおいて、リンク元ＷＥＢページ表示部に表示するＷＥＢページの文字の縮小率を少なくまたは縮小せず、映像及びレイアウトの縮小率を文字に比べて大きくするステップ、を備えることを特徴とする。【００２２】請求項１〜４記載のコンテンツ閲覧コンピュータプログラムにおいて、リンク元ＷＥＢページ表示部に表示されたＷＥＢページのある一定の選択された領域から前記領域に含まれる複数または単数のリンクを抽出するステップと、前記抽出された複数または単数のリンクが示す複数または単数のＷＥＢページを、タブ方式のリンク先ＷＥＢページ表示部の複数または単数のタブとして表示するステップと、を備えることを特徴とする。【００２３】請求項１〜５記載のコンテンツ閲覧コンピュータプログラムにおいて、リンク元ＷＥＢページ表示部に表示されたＷＥＢページのある一定の選択された領域から前記領域に含まれる複数または単数のリンクを抽出するステップ、前記抽出された複数または単数のリンクのＷＥＢページを、リンク先ＷＥＢページ表示部に縮小し、並べて表示するステップと、を備えることを特徴とする。【００２４】表示部より大きな任意のコンテンツを表示中に、スクロール操作ＧＵＩを表示することが可能なコンテンツ閲覧コンピュータプログラムにおいて、ユーザーが行ったスクロール操作の状態を記憶するステップと、この記憶されたスクロール状態で、任意のページを表示するステップと、を備えることを特徴とする。【００２５】請求項７記載のコンテンツ閲覧コンピュータプログラムにおいて、スクロール操作を行った状態で、操作（ＧＵＩボタンを押す、ショートカット入力、マウスジェスチャー入力等）を行った時点でスクロール操作の状態を記憶するステップと、以後表示されるコンテンツに対しこのスクロール操作の状態を適応するステップと、操作（ＧＵＩボタンを押す、ショートカット入力、マウスジェスチャー入力等）を行った時点でこの適応を解除するステップと、を備えることを特徴とする。【００２６】請求項１〜８に記載の少なくとも何れか１つのコンテンツ閲覧コンピュータプログラムを含むことを特徴とするＷＥＢブラウザプログラム。【００２７】請求項１〜８に記載の少なくとも何れか１つのコンテンツ閲覧コンピュータプログラムを含むことを特徴とするコンピュータシステム。【００２８】請求項１〜８に記載の少なくとも何れか１つのコンテンツ閲覧コンピュータプログラムを含むことを特徴とするテレビ。【００２９】請求項１〜８に記載の少なくとも何れか１つのコンテンツ閲覧コンピュータプログラムを含むことを特徴とする携帯電話。
【発明の効果】
【００３０】以上説明した本発明によれば、ＷＥＢページを文字とその他の要素とでの縮尺率を変え文字が読める状態で全体を縮小しリンク元ＷＥＢページ表示部に表示する様にしたので、ユーザーはフレームではないＷＥＢページにおいても、フレームページとほぼ同様の操作性で操作可能となった。さらに、リンク元ＷＥＢページ表示部に表示されたページに含まれるリンク先を、様々な方法でリンク先ＷＥＢページ表示部に表示できるようにしたので、ユーザーが素早くコンテンツを閲覧することが可能となった。【００３１】また、同フォーマットを持つ複数のＷＥＢページにおいて、実際に必要な情報が隠れている場合が多く、新しい同フォーマットのページを開くごとに、ページを何度もスクロールする必要があったが、本発明によれば、ＷＥＢページを表示している時のスクロール操作を記憶しておくので、次回、同フォーマットのページを開くときに自動で必要な情報がある部分にスクロールするため、確実にユーザーの操作回数を減少させることが可能となった。
【発明を実施するための最良の形態】
【００３２】以下、本発明の実施形態を図面に基づき詳細に説明する。
本発明はコンピュータプログラムであるから図８のようなコンピュータによって動作する。【００３３】図１〜６は本発明の第１の実施形態に係わり、図１は本発明におけるコンピュータプログラムを動作させた場合に画面に表示されるＷＥＢページの表示部の一例であり、図２〜５はフローチャートである。【００３４】図１に示すように、複数のＷＥＢページの表示部が存在し同時に複数のページを表示可能である。【００３５】さらに、リンク元ＷＥＢページ表示部１に表示されたＷＥＢページのリンクをクリックすると、リンク先ＷＥＢページ表示部２にリンク先のページが表示されるようになっており、一般的にこれはフレームページとして知られ、多くのＷＥＢブラウザで取り入れられている。【００３６】一般的にリンク元のＷＥＢページは、リンク先のＷＥＢページを大きく表示するために、予め小さく製作されている。つまり、使い勝手の観点からリンク元ＷＥＢページ表示部１はリンク先ＷＥＢページ表示部２より表示面積が小さい方が良い。【００３７】しかし、リンク元ＷＥＢページ表示部１に、通常のページ（専用に小さく作成されていないもの）を表示する場合、単に縮小したのでは字が潰れてリンクのアンカーワードなども読めなくなり、非常に使い勝手が悪い。【００３８】そこで、図２のフローチャートの処理をする。ＷＥＢページを、文字とその他の要素（映像やレイアウト）を異なる縮尺で処理３することによって、文字を読める状態にしつつ全体的には縮小し、リンク元ＷＥＢページ表示部に表示４する。【００３９】これで文字を理解しながらＷＥＢページの切り替えが可能となる。【００４０】さらに、この縮小されたページを作成するには、ユーザーによる直接の操作（例えばボタンを押すと、リンク先ＷＥＢページ表示部２のページと同じページがリンク元ＷＥＢページ表示部１に処理されて表示される等）でも可能であるが、図３のフローチャートに従って、リンク先ＷＥＢページ表示部にページが表示された時点５で、予め記憶してある識別子とマッチングを行い６、マッチした場合はリンク元ＷＥＢページ表示部に表示する７と、ユーザーの操作が簡略化できる。【００４１】また、図４のフローチャートに従って、リンク元ＷＥＢページ表示部に表示されたページのリンクをユーザーが操作８し、予め記憶してある識別子とマッチングを行い９、マッチした場合は、操作されたリンクのリンク先ＷＥＢページをリンク元ＷＥＢページ表示部に表示１０し、マッチしない場合は、操作されたリンクのリンク先ＷＥＢページをリンク先ＷＥＢページ表示部に表示する１１。この場合の識別子はアンカー文字列でも良いし、ＵＲＬのようなものでもよい。リンク元ＷＥＢページ表示部に表示されたＷＥＢページに連続性がある場合（例えば次のページへ等のリンクが存在する場合）に、ユーザーの操作を簡略化できる。【００４２】図５のフローチャートに従って、リンク元ＷＥＢページ表示されたＷＥＢページの選択された領域からリンクを抽出１２し、抽出されたリンクをタブ化されたリンク先ＷＥＢページ表示部にタブとして表示する１３。【００４３】図６のフローチャートに従って、リンク元ＷＥＢページ表示されたＷＥＢページの選択された領域からリンクを抽出１４し、抽出されたリンクをリンク先ＷＥＢページ表示部に縮小し並べて表示する１５。つまり、一般的にはサムネイル表示である。【００４４】図７のフローチャートは本発明における第二の実施形態である。【００４５】現在表示されているコンテンツのスクロール位置を記憶１６し、異なるコンテンツが表示された場合に、記憶されたスクロール位置を適応１７する。この処理によってユーザーのユーザーの操作を簡略化することが可能である。
【実施例】
【００４６】いろいろな実施形態で実現できるが、ハイパーリンク（以下、リンクと記す）を含むコンテンツを表示するコンピュータプログラムとしては一般的なＷＥＢブラウザとして実施した場合の例について解説する。なお、ＷＥＢブラウザは、コンピュータはもちろんテレビや携帯電話にも搭載されている。【００４７】本実施例では、図１のようにリンク元ＷＥＢページ表示部とリンク先ＷＥＢページ表示部を各一つづつ持つＷＥＢブラウザとして実施するものとする。【００４８】ＷＥＢページを、文字とその他のＷＥＢページの構成要素縮尺率を変えてリンク元ＷＥＢページ表示部に表示するには、スタイルシートを利用して文字を拡大すると同時に、文字を含め全体を縮小すると、文字とその他の構成要素で縮尺率が異なる縮小されたＷＥＢページになる。【００４９】さらにｈｔｍｌのタグそのものを操作（例えば特定のタグの削除など）するとレイアウトの効率的な縮小も可能となる。【００５０】予め特定のＷＥＢページの識別子（本実施例ではＵＲＬとする）を複数または単数登録しておき、登録されたＵＲＬのうちどれかとマッチングするＷＥＢページが、リンク先ＷＥＢページ表示部された場合に、自動的に前記ＵＲＬのＷＥＢページを処理し、リンク元ＷＥＢページ表示部に文字は読める状態で縮小表示する。【００５１】予め特定のＷＥＢページの識別子（本実施例ではアンカー文字列とする）を複数または単数登録しておき、登録されたアンカー文字列のどれかとマッチングするＷＥＢページが、リンク元ＷＥＢページ表示部から呼び出された場合には、リンク先ＷＥＢページ表示部に表示することなく、リンク元ＷＥＢページ表示部に、前記ＷＥＢページを文字は読める状態で縮小処理して表示する。【００５２】ＷＥＢブラウザのユーザーがリンク元ＷＥＢページ表示部に表示されたＷＥＢページの一部の領域を選択した状態で、ＧＵＩのボタンのクリックやショートカット操作、マウスジェスチャーなどによって、図５および図６のフローチャートは呼び出される。【００５３】図５と図６の違いは前記選択領域に含まれるリンクを抜き出し、そのリンク全てをタブ化（一般的にはタブブラウザと言われる表示方式）して表示するか、サムネイルにして表示をするかの違いである。【００５４】図７の実施例は、ＷＥＢブラウザにスクロール位置の記憶を命令するＧＵＩボタンを配置しておき、ＷＥＢブラウザにページが表示されている状態で、ユーザーが前記ＧＵＩボタンを操作すると、前記ページのスクロール情報を取得する。異なるページが表示される場合には、前記スクロール情報に基づいて、新しいページをスクロールして表示する。また、もう一度前記ボタンを操作すると、スクロール情報がクリアされ、新しいページを表示してもスクロールしなくなる。【００５５】なお、新しく表示するページに、前記スクロール情報ほどスクロールの余地がない場合は、最大限スクロールしてあとはキャンセルすればよい。【００５６】好適には、前記ＧＵＩボタンは、一度押したら凹んだグラフィックを表示し、もう一度押したら元のグラフィックを表示するようにすると、ユーザーに対し、自動スクロール機能が有効か否かわかって良い。【００５７】以上本発明の実施の形態及び実施例を説明したが、本発明の範囲はこれに限定されるものではない。本説明におけるＷＥＢページの定義が所謂ＷＥＢページの範疇に当てはまるものではなく、この定義はハイパーリンクを含むコンテンツを指し、たとえローカルに存在するコンテンツであってもよい。【００５８】また、図１に示されるように、リンク元ＷＥＢページ表示部とリンク先ＷＥＢページ表示部が各１つではなく、両方または片方だけ、複数であっても良い【００５９】また、図３の６や図４の９に示されているマッチングは、全文一致、部分一致、ワイルドカードを利用した一致、さらには正規表現による一致等さまざまなものが考えられる。【００６０】また、図３の６や図４の９に示されているマッチングは、マッチングする要素が複数でも単数でもよい。例えば複数であればリンクを構成するアンカー文字列とＵＲＬの両方をマッチングする方法などが考えられる。
【産業上の利用可能性】
【００６１】本発明は、コンテンツの閲覧者が素早く目的の情報を閲覧できるコンテンツ閲覧コンピュータプログラムまたはシステムの製作や販売を行う産業分野で利用することができる。【００６２】また、携帯電話やテレビなどＷＥＢブラウザプログラムを搭載している機器の製作や販売を行う産業分野で利用することもできる。
【図面の簡単な説明】
【００６３】
【図１】リンクを含むＷＥＢページを２つ以上同時に表示可能で、リンク元ＷＥＢページ表示部に表示されたＷＥＢページ内のリンク先ＷＥＢページを、ユーザーの操作によって、同コンピュータプログラム内のリンク先ＷＥＢページ表示部に表示可能なコンピュータプログラムの簡略化された画面図。
【図２】ＷＥＢページ処理の流れ図である。
【図３】ＷＥＢページをリンク元ＷＥＢページ表示部に表示するか否かを決定する場合の流れ図である。
【図４】ＷＥＢページの表示場所を決定する場合の流れ図である。
【図５】タブ化する場合の流れ図である。
【図６】サムネイル化する場合の流れ図である。
【図７】スクロール制御のための流れ図である。
【図８】コンピュータソフトウェアを動作させるための一般的コンピュータの図。
【符号の説明】
【００６４】１−リンク元ＷＥＢページ表示部、２−リンク先ＷＥＢページ表示部、３〜１７−ステップ。
【図１】
2006092499.tif 000003
【図２】
2006092499.tif 000004
【図３】
2006092499.tif 000005
【図４】
2006092499.tif 000006
【図５】
2006092499.tif 000007
【図６】
2006092499.tif 000008
【図７】
2006092499.tif 000009
【図８】
2006092499.tif 000010